(57)【特許請求の範囲】
【請求項１】
車両に車載装置と表示装置を有し、前記表示装置に前記車載装置の操作を受け付けるためのソフトキーを配置して操作画面を表示する操作画面カスタマイズ装置であって、
前記表示装置に前記車載装置の操作頻度に関する質問を表示し前記質問への回答を受け付ける回答受け付け手段と、
前記回答に基づき前記操作画面に配置するソフトキーを取捨する操作画面生成手段と、を有し、
前記操作画面生成手段は、運転者がよく使うと回答したソフトキーを抽出して前記操作画面に配置する、ことを特徴とする操作画面カスタマイズ装置。
【請求項２】
操作画面情報を記憶する携帯電話と有線又は無線によって通信することで、他車両で作成された前記操作画面情報を受信し、受信した前記操作画面情報に基づいて前記操作画面を生成する、ことを特徴とする請求項１記載の操作画面カスタマイズ装置。
【請求項３】
前記操作画面生成手段は、前記ソフトキーごとのユーザによる操作頻度を記憶し、記憶された前記操作頻度を考慮して前記操作画面をカスタマイズする、
ことを特徴とする請求項１記載の操作画面カスタマイズ装置。
【請求項４】
前記回答受け付け手段は、携帯電話又はパソコンから送信された運転者による前記質問に対する回答を受信し受け付ける、  
ことを特徴とする請求項１〜３いずれか１項記載の操作画面カスタマイズ装置。
【請求項５】
前記回答受け付け手段は、音声で出力された前記質問に対する回答を、運転者が発話した音声により受け付ける、
ことを特徴とする請求項１項記載の操作画面カスタマイズ装置。
【請求項６】
前記操作画面生成手段は、前記回答に基づき情報を表示する情報表示画面に配置する情報を取捨する、
ことを特徴とする請求項１記載の操作画面カスタマイズ装置。
【発明の詳細な説明】
【技術分野】
【０００１】
本発明は、車両の操作画面のカスタマイズに関し、特に、ソフトキーの配置をカスタマイズできる操作画面カスタマイズ装置に関する。
【背景技術】
【０００２】
車両の高機能化・電子化が進み、車両には種々の電子機器が搭載されるようになった。また、ナビゲーションシステムの高機能化やＡＶ装置との兼用化なども進んでいる。このような種々の電子機器毎に専用のハードキーを設けることができればよいが、車載スペースの関係から全ての電子機器の操作ボタンをハードキーとして搭載することが難しくなってきている。そこで、タッチパネルと一体の表示装置を搭載し、その電子機器に適切なソフトキーを配置することで、電子機器の多様化に対応している。
【０００３】
ソフトキーであれば、ハードキーよりもユーザ毎のカスタマイズが容易になるという特徴を活かして、ソフトキーにユーザの所望の機能を割り当てることができる車両も市販されている。
【０００４】
また、携帯電話を利用した電子機器の操作画面のカスタマイズについて提案されている（例えば、特許文献１参照。）。特許文献１には、ユーザは携帯電話を操作して電子機器の設定情報を携帯電話に記憶させておき、車両側の車両用機能設定装置が携帯電話機と通信することで、携帯電話機に記憶されている設定情報を車両に送信する情報処理システムが開示されている。車両用機能設定装置は、設定情報に基づいて、ユーザに操作されたときに動作させる車載装置を指示するための機能と、その機能の内容を示す表示を変更することで、操作画面をカスタマイズする。
【先行技術文献】
【特許文献】
【０００５】
【特許文献１】特開２００７−２５１５５９号公報
【発明の概要】
【発明が解決しようとする課題】
【０００６】
しかしながら、特許文献１に記載された情報処理システムでは、携帯電話においてユーザが操作画面をカスタマイズするための複雑な又は時間のかかる操作が必要であるという問題がある。
【０００７】
近年の電子機器の機能の多さを考慮すると、携帯電話から操作画面をカスタマイズできない運転者がいる可能性が否定できない。また、操作画面をカスタマイズできる運転者であっても、操作が煩わしいと感じるおそれがある。
【０００８】
また、携帯電話が必須になってしまうと、携帯電話を使えない運転者はカスタマイズできないことになってしまう。
【０００９】
本発明は、上記課題に鑑み、より簡単な操作で操作画面をカスタマイズ可能な操作画面カスタマイズ装置を提供することを目的とする。
【課題を解決するための手段】
【００１０】
本発明は、車両に車載装置と表示装置を有し、前記表示装置に前記車載装置の操作を受け付けるためのソフトキーを配置して操作画面を表示する操作画面カスタマイズ装置であって、前記表示装置に前記車載装置の操作頻度に関する質問を表示し前記質問への回答を受け付ける回答受け付け手段と、前記回答に基づき前記操作画面に配置するソフトキーを取捨する操作画面生成手段と、を有し、前記操作画面生成手段は、運転者がよく使うと回答したソフトキーを抽出して前記操作画面に配置する、ことを特徴とする。
【発明の効果】
【００１１】
より簡単な操作で操作画面をカスタマイズ可能な操作画面カスタマイズ装置を提供することができる。
【図面の簡単な説明】
【００１２】
【図１】操作画面カスタマイズ装置の概略構成図の一例である。
【図２】操作画面、アンケート画面の一例を示す図である。
【図３】アンケート画面の一例を示す図である。
【図４】ドライビングポジション調整装置の概略図の一例である。
【発明を実施するための形態】
【００１３】
以下、本発明を実施するための形態について図面を参照しながら説明する。
【実施例１】
【００１４】
まず、本実施例の操作画面カスタマイズ装置の概略を説明する。
（１）操作画面カスタマイズ装置は、運転者（以下、乗員を含むものとする）にアンケートを提示する。
（２）運転者がアンケートに回答すると、操作画面カスタマイズ装置は回答を受け付ける。
（３）操作画面カスタマイズ装置は回答を解釈してその運転者に最適な操作画面を生成する。
（４）操作画面カスタマイズ装置は、運転者が携帯する携帯電話に、操作画面を再生するための操作画面情報を送信する。
【００１５】
したがって、運転者はアンケートに回答するだけで、操作画面をカスタマイズすることができる。また、携帯電話に操作画面情報を記憶させておくことができるので、運転者が乗車したことのない車両に乗車した際、アンケートに回答することなく、運転者の好みの操作画面を表示することができる。
【００１６】
図１は、本実施形態の操作画面カスタマイズ装置１００の概略構成図の一例である。図１では操作画面カスタマイズ装置１００に加え、携帯電話２００が表示されているが携帯電話２００は必ずしも必須ではない。
【００１７】
操作画面カスタマイズ装置１００は、ハンズフリー装置１１、カスタマイズＳＷ記憶装置１２、ディスプレイ描画装置１３、及び、ディスプレイ１４を有する。操作画面カスタマイズ装置１００は、１つ以上のマイコンを有し、マイコンのＣＰＵがプログラムを実行してカスタマイズＳＷ記憶装置１２を実現する。
【００１８】
ディスプレイ１４は、液晶や有機ＥＬなどのフラットパネルディスプレイで、操作画面を表示すると共に、運転者の操作を受け付けるタッチパネルを有する。ディスプレイ描画装置１３は、画面を生成するための画面データを操作画面毎に有し、各種の操作画面をディスプレイ１４に表示する。画面データは、例えば、操作画面に対応づけられた、該操作画面に配置可能な「アイコン、文字、記号」及びこれらの位置情報、を有する。したがって、アイコンや文字、記号がソフトキーとして表示される。カスタマイズされない状態では、操作画面に配置可能な全てのソフトキーが表示される。
【００１９】
ディスプレイ描画装置１３は、ソフトキーの位置と運転者の押下位置から運転者の操作内容を検出し、画面遷移条件にしたがって使用する画面データを決定し操作画面を生成する。また、ディスプレイ描画装置１３は、受け付けた操作内容を電子装置の制御部（例えば、ＥＣＵ（electronic  control  unit））に通知する。
【００２０】
ハンズフリー装置１１は、例えば、Bluetooth（登録商標）通信により又は有線で携帯電話２００と通信し、ユーザがハンズフリーで相手先と会話することを可能にする。Bluetooth（登録商標）通信する場合、携帯電話２００もBluetooth（登録商標）通信のＩＣを有する。
【００２１】
Bluetooth（登録商標）通信を利用する場合を例に説明する。ハンズフリー装置１１と携帯電話２００のBluetooth（登録商標）通信のためのＩＣには、それぞれ固有のＩＤが与えられており、両者が通信する場合はこのＩＤにより通信相手を識別する。また、最初に両者を接続する場合、運転者は携帯電話２００の操作メニューから初期設定画面を表示させる（または、操作画面カスタマイズ装置１００の操作メニューから初期設定画面を表示させてもよい）。その後、運転者の所定の操作により、携帯電話２００が操作画面カスタマイズ装置１００を捜し出すので、運転者は携帯電話２００のディスプレイに表示された操作画面カスタマイズ装置１００の名称等を確認して、パスキー（パスコード、PIN コード等とも呼ばれる）を入力する。このパスキーにより、携帯電話２００と操作画面カスタマイズ装置１００とがペアリングされる。ペアリングの後は、携帯電話２００が操作画面カスタマイズ装置１００から所定距離内に入るだけで、両者が接続される。
【００２２】
ハンズフリー装置１１と携帯電話２００は、ハンズフリー通話のためのプロファイルであるＨＦＰ(Hands-Free  Profile)に従って通信する。ＨＦＰには、車両側のハンズフリー装置１１で発呼および着呼するために、ハンズフリー装置１１がゲートウェイデバイス（携帯電話２００）を使用する方法が記述されている。具体的には、ハンズフリー装置１１は、相手先の電話番号や発呼の操作を受け付け、それをＡＴコマンドに対応した信号に変換し、携帯電話２００に送信する。携帯電話２００は、その信号をＡＴコマンドに変換するなどして相手先に発信を行う。同様に、携帯電話２００が着信を受けた場合、それをＡＴコマンドに対応した信号に変換し、ハンズフリー装置１１に送信する。ハンズフリー装置１１は、それをＡＴコマンドに変換し、着信音を出力するなどの着信制御を行う。なお、着信の場合、携帯電話２００が着信音を鳴らしてもよい。
【００２３】
運転者の発話内容は、ハンズフリー装置１１のドライバソフトウェアが音声信号に符号化し、携帯電話２００に送信する。携帯電話２００は、音声信号をオーディオポートのエミュレータに取り込み、携帯電話網に乗せるための信号に変換してから相手先に送信する。また、携帯電話２００が、相手先の発話内容を受信した場合、携帯電話網にて搬送されてきた信号を音声信号に変換してからオーディオポートのエミュレータに出力し、音声信号をハンズフリー装置１１に送信する。ハンズフリー装置１１のドライバソフトウェアは、音声信号をアナログの電気信号に変換してスピーカから出力する。
【００２４】
続いて、カスタマイズＳＷ記憶装置１２について説明する。カスタマイズＳＷ記憶装置１２は、運転者の操作に基づき、ソフトキー毎の操作頻度の監視、アンケートに基づく操作画面のカスタマイズ、及び、操作画面情報の記憶等を行う。操作画面２１を例にして説明する。
【００２５】
図２（ａ）は、操作画面２１の一例を示す図である。図２（ａ）の操作画面２１は、エアコンの操作画面２１の一例である。ソフトキーとして、助手席の温度設定キー２１１ａ、運転席の温度設定キー２１１ｂ、吹き出し口の選択キー２１２、風量の調整キー２１３、Ａｕｔｏキー２１４等を有する。カスタマイズＳＷ記憶装置１２は、ソフトキーの操作頻度又は操作回数を監視する。これにより、例えば次のような監視結果が得られる。
【００２６】
＜冷房時の設定温度＞
過去６ヶ月  ：２３度が１０回、２４度が７回、２６度が６回…
過去１ヶ月  ：２２度が５回、２４度が２回、２６度が３回…
過去１週間  ：２１度が１回、２４度が１回、２６度が０回…
＜暖房時の設定温度＞
過去６ヶ月  ：２０度が１０回、２３度が７回、２５度が６回…
過去１ヶ月  ：２０度が３回、２３度が２回、２４度が３回…
過去１週間  ：２１度が１回、２２度が１回、２３度が０回…
＜吹き出し口の選択＞
過去６ヶ月  ：上が１５回、上下が９回、下が９回、下＋デフロスターが５回
過去１ヶ月  ：上が５回、上下が４回、下が３回、下＋デフロスターが２回
過去１週間  ：上が３回、上下が３回、下が３回、下＋デフロスターが１回
＜風量の調整＞
過去６ヶ月  ：強度１が１５回、強度２が１４回、強度３が１３回、強度４が１２回、強度５が１３回、強度６が１４回、強度７が１５回
過去１ヶ月  ：強度１が５回、強度２が４回、強度３が３回、強度４が６回、強度５が３回、強度６が７回、強度７が３回
過去１週間  ：強度１が１回、強度２が２回、強度３が２回、強度４が１回、強度５が２回、強度６が２回、強度７が１回
＜Ａｕｔｏキーの操作＞
過去６ヶ月  ：５０回、
過去１ヶ月  ：１０回
過去１週間  ：２回
なお、ここではソフトキーの操作回数を例示したが、ソフトキーで設定された状態を保つ時間の比率から、ユーザの好みの設定を監視することも好適である。例えば、「吹き出し口の選択キー」であれば、
過去６ヶ月  ：上が５０％、上下が２０％、下が２０％、下＋デフロスターが１０％
のように、乗車時間に対しその吹き出し口を使用した時間の比率を記録する。
【００２７】
カスタマイズＳＷ記憶装置１２は、運転者の識別情報に対応づけて、操作頻度を記録するので、その運転者の好みの設定を抽出することができる。運転者の識別情報は、例えばスマートキー（登録商標）のＩＤとすればよい。
【００２８】
〔アンケートの回答〕
そして、カスタマイズＳＷ記憶装置１２は、アンケートに基づいて操作画面２１をカスタマイズする。図２（ｂ）は、アンケート画面２２の一例を示す図である。アンケート画面２２のテキストデータはカスタマイズＳＷ記憶装置１２が記憶している。運転者は、図２（ａ）の画面から又は所定の設定画面から図２（ｂ）の画面をディスプレイ１４に表示させる。図２（ｂ）では、温度設定キー２１１ａと温度設定キー２１１ｂに対応した質問である「設定温度をよく変更する」、吹き出し口の選択キー２１２に対応した質問である「風量の調整をよく行う」、風量の調整キー２１３に対応した質問である「吹き出し口の変更をよく行う」、Ａｕｔｏキー２１４対応した質問である「全てオートで任せる」、のそれぞれに対し、「はい」「いいえ」のどちらかが選択可能になっている。運転者は、「はい」又は「いいえ」のどちらかにタッチして、質問に回答する。
【００２９】
なお、カスタマイズＳＷ記憶装置１２は、アンケート画面２２の質問を音声で出力し、運転者が音声で回答してもよい。この場合、アンケート画面２２を表示する必要性を低減したり、走行中でもカスタマイズが可能となる。
【００３０】
カスタマイズＳＷ記憶装置１２は、アンケートの回答結果に基づき、図２（ａ）のエアコンの操作画面２１に配置するソフトキーを取捨する。例えば、カスタマイズＳＷ記憶装置１２は、アンケートにおいて運転者が使うと回答したソフトキーを集めて操作画面２１を構成する。図２（ｂ）では、運転者は「設定温度をよく変更する」と「全てオートで任せる」に対し「はい」と回答しているので、カスタマイズＳＷ記憶装置１２は、温度設定キー２１１ａ、温度設定キー２１１ｂ及びＡｕｔｏキー２１４を操作画面２１に配置する。
【００３１】
図２（ｃ）は、カスタマイズＳＷ記憶装置１２がカスタマイズしたエアコンの操作画面２１の一例を示す。図２（ｃ）では、温度設定キー２１１ａ、温度設定キー２１１ｂ及びＡｕｔｏキー２１４しか操作画面２１に配置されていない。このように、本実施例の操作画面カスタマイズ装置１００は、運転者が簡単なアンケートに回答するだけで操作画面２１をカスタマイズすすることができる。
【００３２】
なお、図２（ｃ）の詳細キー２１５は、図２（ａ）の操作画面２１を表示するためのソフトキーである。すなわち、運転者がより詳細な設定を望む場合、詳細キー２１５を選択することで図２（ａ）の操作画面２１を表示することもできる。
【００３３】
また、カスタマイズＳＷ記憶装置１２は、操作頻度を考慮して操作画面２１をカスタマイズすることもできる。例えば、図２（ｂ）のアンケート画面２２に「操作頻度を考慮しておまかせ」という質問を追加しておく。運転者がこの質問に「はい」と回答すると、他の質問の回答結果（「はい」「いいえ」）に関係なく無効化される。カスタマイズＳＷ記憶装置１２は、例えば、過去１週間の操作回数の合計が所定値（例えば５０回）以上のソフトキーを操作画面２１に配置すると決定する。操作回数の合計は、「冷房時の設定温度」であれば何度に設定したかに関係なく、温度の設定回数であり、「吹き出し口の選択キー」であれば、どの吹き出し口に設定したかに関係なく「吹き出し口の選択キー」の操作回数である。
【００３４】
このように、操作頻度を考慮すれば、運転者はアンケートの１つの質問に回答するだけで操作画面２１をカスタマイズできる。
【００３５】
カスタマイズＳＷ記憶装置１２は、カスタマイズした操作画面２１を再生するための操作画面情報を生成する。操作画面情報は、車両Ａにおいてカスタマイズした操作画面２１のソフトキーが、他の車両Ｂにおいても表示されるための情報である。操作画面情報は、各操作画面２１の識別情報に対応づけたソフトキーの識別情報であり、図２（ｃ）の場合、例えば次のようになる。なお、操作画面情報において、各ソフトキーの配置場所を指定してもよい。
【００３６】
エアコンの操作画面：冷房時の温度設定キー、暖房時の温度設定キー、Ａｕｔｏキー
車種が異なると画面デザインも異なることが多いので、操作画面情報にソフトキーのアイコンまで含めないが、アイコンまで共用できるような画面設定の場合では、ディスプレイ描画装置１３が記憶する画面データそのものを操作画面情報としてもよい。
【００３７】
〔操作画面情報の携帯電話２００への送信〕
カスタマイズＳＷ記憶装置１２は、操作画面情報が新たに生成されたり、更新されると操作画面情報を不揮発メモリに記憶させる。そして、カスタマイズＳＷ記憶装置１２は、ハンズフリー装置１１に携帯電話２００が接続されているか否かを問いあわせ、接続されている場合には、操作画面情報を携帯電話２００に送信するよう要求する。
【００３８】
ハンズフリー装置１１は、例えば、GOEP（Generic  Object  Exchange  Profile）というプロファイルに従って、操作画面情報を携帯電話２００に送信する。このプロファイルには、サーバ機能とクライアント機能について記述されている。サーバ側は操作画面情報をプッシュ（又はプル）され、クライアント側はサーバに対して操作画面情報をプッシュ（又はプル）する。操作画面情報を携帯電話２００へ送信する際は、ハンズフリー装置１１がクライアント側である。ハンズフリー装置１１は、携帯電話２００側にGOEPのサポートの有無を問いあわせ、携帯電話２００がGOEPをサポートしている場合、ＧＥＯＰに基づき操作画面情報を送信する。携帯電話２００はＧＯＥＰに基づき操作画面情報を受信する。
【００３９】
こうすることで、携帯電話２００は操作画面カスタマイズ装置１００と同じ操作画面情報を記憶できたことになる。
【００４０】
〔携帯電話２００から車両への操作画面情報の送信〕
携帯電話２００が車両へ操作画面情報の送信する場合は、その車両に初めて乗車するか否かにより処理手順が異なる。運転者が車両Ａに乗車する場合、同様のプロファイルを使用して、携帯電話２００はハンズフリー装置１１に操作画面情報を送信することができる。この場合、携帯電話２００がクライアント側になる。運転者が車両Ａに乗車する際、携帯電話２００は、ハンズフリー装置１１側にＧＯＥＰのサポートの有無を問いあわせ、ハンズフリー装置１１がＧＯＥＰをサポートしている場合、携帯電話２００はＧＥＯＰに基づき操作画面情報を送信し、ハンズフリー装置１１はＧＯＥＰに基づき操作画面情報を受信する。ハンズフリー装置１１は操作画面情報をカスタマイズＳＷ記憶装置１２に送出する。
【００４１】
運転者が車両Ａに乗車する場合、カスタマイズＳＷ記憶装置１２が受信した操作画面情報は、既に記憶しているものと同一であるので、記憶する必要はない。仮に、同一でない場合、カスタマイズＳＷ記憶装置１２はタイムスタンプを参照して、既に記憶している操作画面情報の方が古い場合にのみ、記憶している操作画面情報を受信した操作画面情報で置き換える。
【００４２】
運転者が、過去に運転者が乗車したことのない車両Ｂに乗車する場合、カスタマイズＳＷ記憶装置１２は操作画面情報を記憶していない。本実施例では過去に運転者が乗車したことのない車両Ｂでも、操作画面情報を車両Ｂに送信することで操作画面２１をカスタマイズできることになる点に特徴がある。
【００４３】
運転者は携帯電話２００を操作して、車両Ｂに乗車する際に上記の初期設定画面を表示し、車両Ｂの操作画面カスタマイズ装置１００とペアリングする。そして、運転者が携帯電話２００を操作することで、携帯電話２００は、ハンズフリー装置１１側にＧＯＥＰのサポートの有無を問いあわせ、ハンズフリー装置１１がＧＯＥＰをサポートしている場合、携帯電話２００はＧＥＯＰに基づき操作画面情報を送信する。
【００４４】
車両ＢのカスタマイズＳＷ記憶装置１２は、受信した操作画面情報を記憶する。こうすることで、ディスプレイ描画装置１３は、車両Ｂの操作画面２１を車両Ａと同様にカスタマイズすることができる。
【００４５】
〔携帯電話２００における操作画面２１の設定〕
携帯電話２００上で運転者が操作画面２１をカスタマイズ可能にしてもよい。携帯電話２００は、操作画面カスタマイズ装置１００又は車両メーカが運営するサーバからアンケートを取得し表示する。運転者は携帯電話２００に表示されたアンケートに回答することができる。車両Ａ又はＢに乗車する際、自動的に（車両Ａの場合）又は運転者の操作により（車両Ｂの場合）、携帯電話２００はアンケートに対する回答を操作画面カスタマイズ装置１００に送信する。カスタマイズＳＷ記憶装置１２は、アンケートに対する回答に基づいて操作画面２１をカスタマイズする。
【００４６】
また、運転者は、携帯電話２００でなくＰＣ（パーソナルコンピュータ）上で操作画面２１をカスタマイズしてもよい。同様に、ＰＣは、操作画面カスタマイズ装置１００又は車両メーカが運営するサーバからに操作画面２１のカスタマイズアプリを取得し、カスタマイズアプリを実行する。カスタマイズアプリは、操作画面２１のソフトキーの配置を決定するアプリで、運転者はマウスなどのポインティングデバイスでソフトキーの配置をカスタマイズすることができる。カスタマイズ結果である操作画面情報は、所定のファイルフォーマット（例えば、ＸＭＬ）のファイルになっている。
【００４７】
運転者はＰＣから携帯電話２００に、記憶媒体経由や電子メール経由で操作画面情報を転送しておく。車両Ａ又はＢに乗車する際、自動的に（車両Ａの場合）又は運転者の操作により（車両Ｂの場合）、携帯電話２００は操作画面情報を操作画面カスタマイズ装置１００に送信する。カスタマイズＳＷ記憶装置１２は、操作画面情報に基づいて操作画面２１をカスタマイズする。
【００４８】
こうすることで、車両Ａに乗車せずに操作画面２１をカスタマイズすることも可能になる。したがって、操作画面２１のカスタマイズ中のアイドリングにより燃費が低下することを防止できる。
【００４９】
〔表示画面のカスタマイズ〕
なお、カスタマイズは、操作画面（何らかの操作の受け付け機能を有する画面）だけでなく、操作の受け付け機能を有さない情報表示画面に対しても可能である。この情報表示画面は、操作画面に情報表示（例えば現在温度、設定温度、風量）が含まれることから、操作画面から操作機能を無くすだけで実現できる。
【００５０】
このような情報表示画面としては、例えばハイブリッド車のエネルギーフロー画面が挙げられる。操作画面カスタマイズ装置１００は、アンケート結果に応じてハイブリッド車のエネルギーフロー画面に表示するコンテンツ（各種燃費、エコゾーンなど）を変えることができる。
【００５１】
以上のように、本実施例の操作画面カスタマイズ装置１００は、運転者がアンケートに回答するだけで、操作画面２１をカスタマイズすることができる。また、携帯電話２００に操作画面情報を記憶させておくことができるので、運転者が初めて乗車する車両に乗車した際、アンケートに回答することも操作画面２１をカスタマイズすることもなく、運転者の好みの操作画面２１を表示することができる。
【実施例２】
【００５２】
実施例１では、アンケートの回答に基づき、操作画面毎に運転者がカスタマイズすることを前提にして、操作画面情報を携帯電話２００に記憶した。しかしながら、車載装置が高機能化された状況では、操作画面毎のアンケート画面を表示することさえ難しいと感じる運転者が存在する場合がある。また、操作が得意な運転者でも操作画面毎にアンケートに回答することは煩わしいと感じるおそれがある。
【００５３】
そこで、本実施例では、カスタマイズＳＷ記憶装置１２が、複数の操作画面２１に共通のアンケートをディスプレイ１４に表示させる。運転者がアンケートに回答すると、カスタマイズＳＷ記憶装置１２は、アンケートの回答を複数の操作画面２１のカスタマイズに利用する。なお、概略構成図は図１と同じなので説明を省略する。
【００５４】
図３（ａ）は、本実施例のアンケート画面２２の一例を示す図である。実施例１のアンケートではエアコンの設定に関するものしかなかったが、図３（ａ）のアンケート画面２２は操作の全般に関する質問が含まれている。例えば、「クルマの運転以外する余裕がない」の質問に対し「はい」と回答する運転者は、全般的に操作画面２１を簡易化すべきであると考えられる。この質問に対する回答を基本に、以下の質問に対する回答の組み合わせから、カスタマイズＳＷ記憶装置１２はカスタマイズ方針を決定する。
【００５５】
例えば、「VTRの設定は自分で行う」の質問に対し「いいえ」と回答する運転者は、自宅のVTRの操作に不慣れであると考えられる。また、「新しいものは苦手だ」の質問に対し「はい」と回答する運転者は、新しい機器の操作に不慣れであると考えられる。また、「オーディオの操作は人に任せるほうだ」の質問に対し「はい」と回答する運転者は、オーディオ装置の操作をあまりしないと考えられる。
【００５６】
カスタマイズＳＷ記憶装置１２は、回答結果を数値化し、回答結果に基づき運転者の操作慣れ度を数値化する。例えば、１０点を最高点（操作画面２１に詳しい）にして、基本の質問に対する回答が「はい」の場合は０点を基本点に、「いいえ」の場合は５点を基本点にする。そして、その下の質問に対する回答結果から「はい」「いいえ」を正負の数値で置き換え、運転者の操作慣れ度を数値化する。
【００５７】
カスタマイズＳＷ記憶装置１２は、例えば、９，１０点の運転者には操作画面２１毎に全てのソフトキーを表示すると決定し、７，８点の運転者には操作画面２１毎に４つ程度のソフトキーを表示すると決定し、５，６点の運転者には操作画面毎に３つ程度のソフトキーを表示すると決定し、５点未満の運転者には必要最小限のソフトキーを表示すると決定する。
【００５８】
４つ又は３つのソフトキーを選択する際、優先度の高いソフトキーは予め決まっていても良いし、操作頻度の高いものから順に抽出しても良い。また、必要最小限のソフトキーは、操作画面毎に決まっている。例えば、エアコンの操作画面２１ならＡｕｔｏキー、ＡＶ機器ならラジオの自動選曲ボタン、等である。
【００５９】
なお、例えば、アンケートの回答に基づき、「クルマの運転以外する余裕がない」の質問に対し「はい」と回答しても、「オーディオの操作は人に任せるほうだ」の質問に対し「いいえ」と回答する運転者には、ＡＶ装置の操作画面２１に全てのソフトキーを表示すると決定してもよい。すなわち、操作慣れ度に関係なく、各操作画面毎に運転者の特性を考慮して操作画面２１をカスタマイズする。こうすることで、操作慣れ度に応じて画一的な操作画面２１を提供するのでなく、操作慣れ度が低くても運転者の好みにあった操作画面２１を提供できる。
【００６０】
図３（ｂ）は、アンケートの回答結果に基づきカスタマイズされたエアコンの操作画面２１の一例を示す。カスタマイズＳＷ記憶装置１２は、図３（ａ）のアンケートの回答からこの運転者は操作が苦手であると判定したため（例えば、操作慣れ度が１点）、図３（ｂ）では必要最小限の、温度設定キー２１１ａ、温度設定キー２１１ｂ、及び、Ａｕｔｏキーの３つだけが表示されている。
【００６１】
カスタマイズＳＷ記憶装置１２は、操作画面情報を記憶し、携帯電話２００が接続されていれば携帯電話２００に操作画面情報を送信する。操作画面情報は、実施例１と同様である。なお、不慣れ度を操作画面情報としてもよい。
【００６２】
本実施例においても、操作画面だけでなく情報表示画面をアンケート結果に応じてカスタマイズすることができる。アンケートの質問としては、例えば、「クルマの運転以外する余裕がない」「情報を見るのが面倒」である。操作画面カスタマイズ装置１００は、「はい」と回答した運転者に対しては、情報表示画面のコンテンツを少なくする。
【００６３】
本実施例の操作画面カスタマイズ装置１００は、運転者が１つのアンケートに回答するだけで、複数の操作画面２１をカスタマイズすることができる。
【００６４】
なお、本実施例においても運転者は携帯電話２００上でアンケートに回答してもよい。
【実施例３】
【００６５】
本実施例では操作画面２１でなく、ドライビングポジション情報を携帯電話２００に記憶させるドライビングポジション調整装置３００について説明する。ドライビングポジション情報を携帯電話２００に記憶させることで、運転者が車両Ａ又は車両Ｂに乗車する際、携帯電話２００がドライビングポジション情報を車両Ａ又はＢに送信することができる。したがって、運転者がドライビングポジションを調整しなくても、その運転者の好みのドライビングポジションが提供される。
【００６６】
車両の運転席、助手席、後席は、それぞれシートの状態を乗員の好みに調整できるようになっているが、本実施例では運転席を例にしてドライビングポジションの調整について説明する。
【００６７】
図４は、本実施例のドライビングポジション調整装置３００の概略図の一例を示す。ドライビングポジション調整装置３００は、ハンズフリー装置１１、ドライビングポジション設定装置３２、シート位置記憶装置３３、ステアリング位置記憶装置３４、及び、ドライビングポジション記憶ＳＷ３１を有する。図４において図１と同一部の説明は省略する。
【００６８】
ドライビングポジションは、パワーシートのシート前後位置、リクライニング角度、座面高さ、ステアリングホイールのテレスコピック位置、及び、チルト角度であるとする。ドライビングポジション情報は、これら位置情報等を含む。なお、全てを含んでいる必要はない。
【００６９】
シート位置記憶装置３３は、運転者が設定したパワーシートのシート前後位置、リクライニング角度及び座面高さを記憶している。ステアリング位置記憶装置３４は、運転者が設定したテレスコピック位置、及び、チルト角度を記憶する。また、シート位置記憶装置３３とステアリング位置記憶装置３４は、携帯電話２００から受信したこれらの情報を記憶してもよい。
【００７０】
ドライビングポジション設定装置３２は、不図示の再生ボタン等から再生要求を受け付けると、ドライビングポジション情報に基づきアクチュエータを制御して、パワーシートの前後位置等やステアリングホイールのテレスコ位置を調整する。ドライビングポジション記憶ＳＷ３１は、ドライビングポジション記憶ＳＷ３１の押下時のドライビングポジションをシート位置記憶装置３３及びステアリング位置記憶装置３４、並びに、携帯電話２００に記憶させるためのスイッチである。
【００７１】
運転者は、車両Ａの運転席に乗車してドライビングポジションを調整する。所望のドライビングポジションが得られたら、運転者はドライビングポジション記憶ＳＷ３１を押下する。ドライビングポジション設定装置３２は、ドライビングポジション記憶ＳＷ３１の押下を検出すると、ドライビングポジションを各部のアクチュエータの制御部から読み出し、シート位置記憶装置３３及びステアリング位置記憶装置３４に記憶させる。
【００７２】
なお、ドライビングポジションの設定に不慣れな運転者のため、ドライビングポジション設定装置３２がドライビングポジションのおすすめ設定画面を表示するか否かを運転者に問いあわせ、運転者の要望に応じておすすめ設定画面を提供しても良い。おすすめ設定画面では、例えばシート前後位置等を自動的に変動させ、運転者が丁度よいと思った位置で固定することができる。
【００７３】
また、ドライビングポジション記憶ＳＷ３１の押下を検出すると、ドライビングポジション設定装置３２は、シート位置記憶装置３３及びステアリング位置記憶装置３４が記憶したドライビングポジション情報を携帯電話２００に送信するようハンズフリー装置１１に要求する。ハンズフリー装置１１は、ドライビングポジション情報を携帯電話２００に送信するので、携帯電話２００はドライビングポジション情報を不揮発メモリに記憶する。
【００７４】
運転者が車両Ｂに乗車する際は、運転者は初期設定画面でペアリングする際に、ドライビングポジション情報をドライビングポジション調整装置３００に送信する。車両Ｂのハンズフリー装置１１はドライビングポジション情報を受信してシート位置記憶装置３３及びステアリング位置記憶装置３４に記憶させる。そして、ドライビングポジション設定装置３２は、運転者のドライビングポジションの再生要求、イグニッションオン又はシートベルトの装着等を検出して、シート位置記憶装置３３及びステアリング位置記憶装置３４のドライビングポジション情報を読み出し、アクチュエータを制御して、パワーシートの前後位置等やステアリングホイールのテレスコ位置を調整する。
【００７５】
したがって、運転者が初めて乗車する車両Ｂにおいても、携帯電話２００からドライビングポジション情報を車両Ｂに送信するだけで、運転者の好みのドライビングポジションが再生できる。
【００７６】
なお、携帯電話２００にドライビングポジションの設定画面を表示し、運転者が携帯電話２００上でドライビングポジションを数値的に設定してもよい。設定画面は、予め携帯電話２００が記憶しているか、サーバから設定用の画面（例えば、XML）を取得することで、携帯電話２００が表示する。運転者は＜パワーシートのシート前後位置＞は「○○ｃｍ」、＜リクライニング角度＞は「××度」、＜座面高さ＞は「□□ｃｍ」、＜テレスコピック位置＞は「△△ｃｍ」、＜チルト角度＞は「○△度」のように入力する。
【００７７】
こうすることで、ドライビングポジションを車両Ａに乗車せずに設定することも可能になる。したがって、設定中のアイドリングにより燃費が低下することを防止できる。
【００７８】
以上のように、本実施例のドライビングポジション設定装置３２は、運転者の好みのドライビングポジションを他の車両Ｂでも容易に再生することができる。
【符号の説明】
【００７９】
１１    ハンズフリー装置  １２    カスタマイズＳＷ記憶装置  １３    ディスプレイ描画装置  １４  ディスプレイ  １００  操作画面カスタマイズ装置  ２００携帯電話
【図１】
0005440135.tif 000002
【図２】
0005440135.tif 000003
【図３】
0005440135.tif 000004
【図４】
0005440135.tif 000005